(57)【要約】【課題】従来の携帯電話機等の位置情報サービスでは、ホームメモリに保持されているセル情報等を位置情報として提供していたため、携帯電話機等の大まかな位置しか知ることができなかった。【解決手段】電源がＯＦＦされた携帯端末の位置情報を提供する位置情報提供システムにおいて、無線制御装置は携帯端末から電源切断信号を受信すると、携帯端末の電源がＯＦＦとなった旨をサービス制御装置に通知し、その返信として、サービス制御装置から携帯端末の位置情報としてセクタ情報の要求を受け付けると、自身が保持する複数の位置情報から携帯端末の位置情報を抽出して、サービス制御装置に送信する。さらに、サービス制御装置は、無線制御装置から送信された携帯端末の位置情報を他の装置等に通知する。【選択図】  図１
2010233090.tif 000002
【特許請求の範囲】
【請求項１】
移動通信端末の電源がＯＦＦされた際に送信される電源切断信号の受信に応じて、前記移動通信端末の電源がＯＦＦされたことを通知する電源切断通知手段と、
前記通知に対する応答として、前記移動通信端末の位置情報の取得要求があった場合に、自身が保持する複数の位置情報から前記位置情報を抽出して送信する位置情報送信手段と、
を有する無線制御装置。
【請求項２】
前記無線制御装置は、無線ネットワーク制御装置（Radio Network Controller）によって実現されることを特徴とする請求項１に記載の無線制御装置。
【請求項３】
前記位置情報は、無線基地局からの電波が受信可能な領域であるセル領域が、複数に分割された領域であるセクタ領域に関する情報であるセクタ情報であることを特徴とする請求項１又は２に記載の無線制御装置。
【請求項４】
移動通信端末の電源がＯＦＦされた旨の通知に応じて、前記移動通信端末の位置情報として、無線基地局からの電波が受信可能な領域であるセル領域が、複数に分割された領域であるセクタ領域に関する情報であるセクタ情報を要求する位置情報要求手段と、
前記要求に対する応答として前記位置情報を取得して通知する位置情報通知手段と、
を有するサービス制御装置。
【請求項５】
前記位置情報通知手段は、前記移動通信端末に関するプロファイルを参照して、前記プロファイルに登録されている通知先に対して前記通知を行うことを特徴とする請求項４に記載のサービス制御装置。
【請求項６】
前記位置情報通知手段による通知は、ショートメッセージによる通知であることを特徴とする請求項４又は５に記載のサービス制御装置。
【請求項７】
移動通信端末における無線通信に関する処理を行う無線制御装置と、移動通信端末に提供するサービスに関する制御を行うサービス制御装置と、からなる位置情報提供システムであって、
前記無線制御装置は、
移動通信端末の電源がＯＦＦされた際に送信される電源切断信号の受信に応じて、前記移動通信端末の電源がＯＦＦされたことを通知する電源切断通知手段と、
前記サービス制御装置からの前記移動通信端末の位置情報の取得要求である、無線基地局からの電波が受信可能な領域であるセル領域が、複数に分割された領域であるセクタ領域に関する情報であるセクタ情報の取得要求があった場合に、自身が保持する複数の位置情報から前記位置情報を抽出して送信する位置情報送信手段と、を有し、
前記サービス制御装置は、
前記電源切断通知手段による通知に応じて、前記無線制御装置に対して前記位置情報の取得要求を行う位置情報要求手段と、
前記無線制御装置から送信される前記位置情報に基づいて、前記位置情報の通知を行う位置情報通知手段と、
を有する位置情報提供システム。
【請求項８】
移動通信端末における無線通信に関する処理を行う無線制御装置と、移動通信端末に提供するサービスに関する制御を行うサービス制御装置と、により実行される位置情報提供方法であって、
前記無線制御装置において、移動通信端末の電源がＯＦＦされた際に送信される電源切断信号の受信に応じて、前記移動通信端末の電源がＯＦＦされたことを通知する電源切断通知ステップと、
前記サービス制御装置において、前記電源切断通知ステップによる通知に応じて、前記無線制御装置に対して、前記移動通信端末の位置情報として、無線基地局からの電波が受信可能な領域であるセル領域が、複数に分割された領域であるセクタ領域に関する情報であるセクタ情報の要求を行う位置情報要求ステップと、
前記無線制御装置において、前記サービス制御装置からの前記位置情報の取得要求があった場合に、自身が保持する複数の位置情報から前記位置情報を抽出して送信する位置情報送信ステップと、
前記サービス制御装置において、前記無線制御装置から送信される前記位置情報に基づいて、前記位置情報の通知を行う位置情報通知ステップと、
を有する位置情報提供方法。
【発明の詳細な説明】
【技術分野】
【０００１】
本発明は、移動通信端末の電源がＯＦＦとなった場合に、移動通信端末の位置情報を所定の通知先に通知する位置情報サービスに関する。
【背景技術】
【０００２】
従来、子供に携帯電話機を持たせている保護者が子供の居場所を知るためのサービスとして、例えば非特許文献１に開示されている位置情報サービスがある。このサービスにおいては、携帯電話機のＧＰＳ（Global Positioning System）機能を利用して子供が持っている携帯電話機の場所を特定することができるようになっている。しかし、何らかの理由により携帯電話機の電源がＯＦＦにされてしまうと、携帯電話機はＧＰＳ電波が受信できなくなり子供の居場所が特定できなくなる。そこで、携帯電話機の電源がＯＦＦとなった時には、事前に登録しておいた保護者の携帯電話機にその時のＧＰＳ情報をメールで知らせることとしている。
【０００３】
また、特許文献１においては、紛失や盗難により行方不明となった携帯電話端末において、電池切れにより電源がＯＦＦとなった場合にはホームメモリの位置登録情報の更新を行うこととし、ユーザから行方不明の携帯電話端末の探索要求を受け付けると、ホームメモリから位置登録更新情報、位置登録要求受付基地局情報などを取得して、携帯電話端末が在圏する基地局を特定してユーザに通知する発明が開示されている。
【先行技術文献】
【特許文献】
【０００４】
【特許文献１】特開２００１−２７５１６３号公報
【非特許文献】
【０００５】
【非特許文献１】“キッズケータイ F801i”、[online]、株式会社ＮＴＴドコモ、[平成20年12月4日検索]、インターネット<URL：http://www.nttdocomo.co.jp/product/kids_phone/f801i/topics_01.html>
【発明の概要】
【発明が解決しようとする課題】
【０００６】
しかしながら、非特許文献１に開示されている位置情報サービスは携帯電話機のＧＰＳ機能を利用しているため、携帯電話機がＧＰＳ機能を有していない場合や、ＧＰＳ機能を有していても携帯電話機がＧＰＳ電波の届く場所に位置していない場合等は、このサービスを利用することはできない。
また、特許文献１に記載の発明においては、携帯電話端末の位置情報としてホームメモリの基地局情報（セル情報）を利用しているが、携帯電話端末の基地局情報は、通常、半径数百メートルから数キロメートルの範囲であり、その範囲はかなり広い。よって、例えば携帯電話端末を持つ子供に危害を加えようとするような悪意者によって携帯電話端末の電源がＯＦＦにされてしまった場合、基地局情報のような広い範囲を示す情報ではそれほど役に立たない。また、ホームメモリに対する位置登録はある一定の周期で行われているため、ホームメモリに保存されている位置登録情報は、携帯電話端末の電源がＯＦＦされた時点での位置を示すものであるとは限らない。
そこで本発明は、上記問題点を解決し、移動通信端末のＧＰＳ機能を利用せずに、従来の位置情報サービスが提供する位置情報よりも、最新、かつ、より詳細な位置情報を提供できる無線制御装置、サービス制御装置、位置情報提供システム、及び位置情報提供方法の実現を目的とする。
【課題を解決するための手段】
【０００７】
そこで、上記課題を解決するために、本発明は、移動通信端末の電源がＯＦＦされた際に送信される電源切断信号の受信に応じて、前記移動通信端末の電源がＯＦＦされたことを通知する電源切断通知手段と、前記通知に対する応答として、前記移動通信端末の位置情報の取得要求があった場合に、自身が保持する複数の位置情報から前記位置情報を抽出して送信する位置情報送信手段と、を有する無線制御装置を提案する。
【０００８】
この構成によれば、無線制御装置は、電源がＯＦＦされた移動通信端末から電源切断情報を受信すると外部の装置等にその旨を通知し、その外部の装置等の要求に応じて自身が保持している移動通信端末の位置情報を送信するので、移動通信端末の電源がＯＦＦされた時点での最新の位置情報を外部の装置等に提供することができる。また、外部の装置等はこの位置情報をさらに他の移動通信端末等に通知すること等が可能である。
【０００９】
また、前記無線制御装置は、無線ネットワーク制御装置（Radio Network Controller）によって実現されてもよい。
この構成によれば、無線ネットワーク制御装置は、ホームメモリが保持する位置登録情報が示すエリアよりも狭小のエリアを示すセクタ情報を内部に保持しているので、このセクタ情報を位置情報として利用することができる。これにより、無線制御装置は、従来のようなホームメモリの位置登録情報よりも詳細な位置情報を提供することが可能である。
【００１０】
また、前記位置情報は、無線基地局からの電波が受信可能な領域であるセル領域が、複数に分割された領域であるセクタ領域に関する情報であるセクタ情報であってもよい。
この構成によれば、無線ネットワーク制御装置は、ホームメモリが保持する位置登録情報が示すエリアよりも狭小のエリアを示すセクタ情報を位置情報として提供することができる。特に、悪意者によって移動通信端末の電源がＯＦＦされた場合等のように、移動通信端末の位置をなるべく詳細に把握したい場合に有効である。
【００１１】
また、本発明は、移動通信端末の電源がＯＦＦされた旨の通知に応じて、前記移動通信端末の位置情報として、無線基地局からの電波が受信可能な領域であるセル領域が、複数に分割された領域であるセクタ領域に関する情報であるセクタ情報を要求する位置情報要求手段と、前記要求に対する応答として前記位置情報を取得して通知する位置情報通知手段と、を有するサービス制御装置を提案する。
【００１２】
この構成によれば、サービス制御装置は、携帯電話機の電源がＯＦＦされたことの通知を受け取ったことをトリガーとして、移動通信端末の位置情報としてセクタ情報を要求し、これらの位置情報を取得した場合には外部の装置等に通知する。これにより、例えば子供の携帯電話機の電源がＯＦＦされた場合に、その時点での子供の携帯電話機のセクタ情報を親の携帯電話機等に通知する等が可能である。
【００１３】
また、前記位置情報通知手段は、前記移動通信端末に関するプロファイルを参照して、前記プロファイルに登録されている通知先に対して前記通知を行うようになっていてもよい。
この構成によれば、無線制御装置は、電源がＯＦＦされた移動通信端末に関するプロファイルにあらかじめ登録されている通知先に移動通信端末の位置情報を通知することができる。よって、例えば子供の携帯電話機のプロファイルに親の携帯電話機のメールアドレス等を登録しておけば、子供の携帯電話機の電源がＯＦＦされた場合にはその携帯電話機の位置情報が親の携帯電話機に通知されるので、特に子供の非常時などに役に立つ。
【００１４】
また、前記位置情報通知手段による通知は、ショートメッセージによる通知であってもよい。
この構成によれば、サービス制御装置は、取得した位置情報をショートメッセージにより外部の装置等に通知することができる。これにより、例えば子供の携帯電話機の電源がＯＦＦされた場合に、その時点での子供の携帯電話機のセクタ情報を親の携帯電話機等にショートメッセージにより通知する等が可能である。
【００１５】
また、本発明は、移動通信端末における無線通信に関する処理を行う無線制御装置と、移動通信端末に提供するサービスに関する制御を行うサービス制御装置と、からなる位置情報提供システムであって、前記無線制御装置は、移動通信端末の電源がＯＦＦされた際に送信される電源切断信号の受信に応じて、前記移動通信端末の電源がＯＦＦされたことを通知する電源切断通知手段と、前記サービス制御装置からの前記移動通信端末の位置情報の取得要求である、無線基地局からの電波が受信可能な領域であるセル領域が、複数に分割された領域であるセクタ領域に関する情報であるセクタ情報の取得要求があった場合に、自身が保持する複数の位置情報から前記位置情報を抽出して送信する位置情報送信手段と、を有し、前記サービス制御装置は、前記電源切断通知手段による通知に応じて、前記無線制御装置に対して前記位置情報の取得要求を行う位置情報要求手段と、前記無線制御装置から送信される前記位置情報に基づいて、前記位置情報の通知を行う位置情報通知手段と、を有する位置情報提供システムを提案する。
【００１６】
この構成によれば、位置情報提供システムは、携帯電話機の電源がＯＦＦされた場合には、電源切断信号を受信した無線制御装置が、自身の内部に保持している携帯電話機のセクタ情報を外部の装置等に通知することができる。これにより、例えば子供の携帯電話機の電源がＯＦＦされた場合に、その時点での子供の携帯電話機のセクタ情報を親の携帯電話機等に通知する等が可能である。
【００１７】
また、本発明は、移動通信端末における無線通信に関する処理を行う無線制御装置と、移動通信端末に提供するサービスに関する制御を行うサービス制御装置と、により実行される位置情報提供方法であって、前記無線制御装置において、移動通信端末の電源がＯＦＦされた際に送信される電源切断信号の受信に応じて、前記移動通信端末の電源がＯＦＦされたことを通知する電源切断通知ステップと、前記サービス制御装置において、前記電源切断通知ステップによる通知に応じて、前記無線制御装置に対して、前記移動通信端末の位置情報として、無線基地局からの電波が受信可能な領域であるセル領域が、複数に分割された領域であるセクタ領域に関する情報であるセクタ情報の要求を行う位置情報要求ステップと、前記無線制御装置において、前記サービス制御装置からの前記位置情報の取得要求があった場合に、自身が保持する複数の位置情報から前記位置情報を抽出して送信する位置情報送信ステップと、前記サービス制御装置において、前記無線制御装置から送信される前記位置情報に基づいて、前記位置情報の通知を行う位置情報通知ステップと、を有する位置情報提供方法を提案する。
【００１８】
この構成によれば、位置情報提供方法は、携帯電話機の電源がＯＦＦされた場合には、電源切断信号を受信した無線制御装置が、自身の内部に保持している携帯電話機のセクタ情報を外部の装置等に通知することができる。これにより、例えば子供の携帯電話機の電源がＯＦＦされた場合に、その時点での子供の携帯電話機のセクタ情報を親の携帯電話機等に通知する等が可能である。
【発明の効果】
【００１９】
以上説明したように、本発明によれば、移動通信端末がＧＰＳ機能を有していない場合やＧＰＳ電波の届く場所に位置していない場合であっても位置情報サービスを受けることができる。また、移動通信端末において電源がＯＦＦされた場合には、電源切断信号を受信した無線制御装置がその移動通信端末のセクタ情報を位置情報として特定の通知先に通知すること等ができるので、従来における位置情報サービスよりも、最新、かつ、より詳細な位置情報を提供することができる。
【図面の簡単な説明】
【００２０】
【図１】本実施形態に係る位置情報提供システムの構成例を示す図である。
【図２】無線ネットワーク制御装置１２０ａの構成例を示すブロック図である。
【図３】アプリケーションサーバ１４０ａの構成例を示すブロック図である。
【図４】本実施形態に係る位置情報提供サービスの処理の流れを示すシーケンス図である。
【発明を実施するための形態】
【００２１】
以下、本発明の実施の形態について図面を参照しながら説明する。
（位置情報提供システムの構成）
まず、本実施形態に係る位置情報提供システムの構成について、図１を用いて説明する。図１は、本実施形態に係る位置情報提供システムの構成例を示す図である。なお、本実施形態に係る位置情報提供システムは、ＩＭＳ（IP Multimedia Subsystem）技術を利用した通信ネットワークにおける位置情報提供システムを想定している。
【００２２】
図１に示される位置情報提供システムは、携帯端末Ａ１１０と、無線基地局１９０ａ及び１９０ｂと、無線ネットワーク制御装置（Radio Network Controller）１２０ａ及び１２０ｂと、ｘＧＳＮ（serving/gateway General packet radio service Support Node）１３１ａ、Ｐ−ＣＳＣＦ（Proxy Call/Session Control Function）１３２ａ及び１３２ｂと、Ｓ−ＣＳＣＦ（Serving Call/Session Control Function）１３３ａ及び１３３ｂ、アプリケーションサーバ（Application Server）１４０ａ及び１４０ｂと、ＨＬＲ（Home Location Register）１５０と、ショートメッセージサービスによるショートメッセージ（ＳＭ）を作成するＳＭ作成装置１６０と、ＳＭＳＣ（Short Message Service Control）１７０と、携帯端末Ｂ１８０と、から構成される。以下、各装置について詳述する。
【００２３】
（携帯端末の構成）
携帯端末Ａ１１０及び携帯端末Ｂ１８０は、可搬型の端末装置であり、具体的には、一般的な携帯電話機等が該当する。また、図１においては、携帯端末Ａ１１０は電源がＯＦＦされる側の携帯端末であることを仮定しており、例えば子供が携行している携帯電話機である。また、携帯端末Ｂ１８０は携帯端末Ａ１１０の電源がＯＦＦされた場合に携帯端末Ａ１１０の位置情報を受け取る側の携帯端末であり、例えば子供に携帯端末Ａ１１０を持たせている親の携帯電話機である。
【００２４】
また、携帯端末Ａ１１０は、電源がＯＦＦされた場合に、電源がＯＦＦされたことを示すデタッチ信号を、無線基地局１９０ａを介して、無線ネットワーク制御装置１２０ａに送信する機能を有する。なお、本実施形態に係る位置情報提供システムにおいては、後述するように、位置情報として従来のようなＧＰＳ情報を使用しないため、携帯端末Ａ１１０は、ＧＰＳ機能等を有している必要はない。
【００２５】
（無線基地局の構成）
無線基地局１９０ａ及び１９０ｂは、図示しない無線エリア（セル領域）をそれぞれ有しており、対応する無線エリアに在圏している携帯端末と無線通信を行う機能を有している。すなわち、携帯端末Ａ１１０と無線ネットワーク制御装置１２０ａとの通信は、無線基地局１９０ａを介して行われる。また、携帯端末Ｂ１８０と無線ネットワーク制御装置１２０ｂとの通信は、無線基地局１９０ｂを介して行われる。
【００２６】
（無線ネットワーク制御装置の構成）
無線ネットワーク制御装置１２０ａ及び１２０ｂは、それぞれ、無線基地局１９０ａ及び１９０ｂに対応して設けられており、それぞれ対応する無線エリアに在圏している携帯端末における無線通信に関する処理を行う。ここでは、無線ネットワーク制御装置１２０ａ及び１２０ｂは、それぞれ、携帯端末Ａ１１０、携帯端末Ｂ１８０における無線通信に関する処理を行う無線制御装置であり、具体的には、携帯電話機の回線接続処理や通話時のハンドオーバー処理等を行う。また、無線ネットワーク制御装置１２０ａ及び１２０ｂは、携帯端末の位置登録を実行する際にセクタ情報を自身の内部に保持しておく。なお、無線ネットワーク制御装置１２０ａ及び１２０ｂは、基地局制御装置、無線制御局、等とも呼ばれる場合がある。
【００２７】
また、無線ネットワーク制御装置１２０ａは、携帯端末Ａ１１０の電源がＯＦＦされた場合に、携帯端末Ａ１１０から電源がＯＦＦされたことを示すデタッチ信号を受信する。また、図１に示すように、無線ネットワーク制御装置１２０ａにおいては、一般的な無線制御装置の構成以外に、電源切断通知部１２１と、位置情報要求受付部１２２と、位置情報送信部１２３と、を有する。各部の動作については、後述する。
【００２８】
（無線ネットワーク制御装置の具体的な構成）
ここで、無線ネットワーク制御装置１２０ａのより具体的な構成について説明する。図２は、無線ネットワーク制御装置１２０ａの構成例を示すブロック図である。図２に示すように、無線ネットワーク制御装置１２０ａは、ＣＰＵ（Central Processing Unit）２０１、不揮発性記憶装置２０２、ＲＡＭ（Random Access Memory）２０３、ネットワークインタフェース２０４、等を備えている。
【００２９】
不揮発性記憶装置２０２には、位置情報送信プログラム２１０が保持されている。この位置情報送信プログラム２１０は、電源切断通知モジュール２１１、位置情報要求受付モジュール２１２、位置情報送信モジュール２１３、及びその他必要な各種のモジュールを含む。電源切断通知モジュール２１１、位置情報要求受付モジュール２１２、位置情報送信モジュール２１３は、ぞれぞれ、電源切断通知部１２１、位置情報要求受付部１２２、位置情報送信部１２３を実現するためのモジュールである。
【００３０】
このような構成において、一般的なコンピュータと同様に、不揮発性記憶装置２０２に記憶されている各モジュール２１１、２１２、２１３が必要に応じてＲＡＭ２０３をワークエリアとして展開され、それらがＣＰＵ２０１にて実行されることで、各種の処理を行う。
なお、ネットワークインタフェース２０４は、無線基地局１９０ａ、ｘＧＳＮ１３１ａ、Ｐ−ＣＳＣＦ１３２ａ等と接続するためのインタフェースであり、有線又は無線の通信インタフェースである。具体的には、光ファイバ、同軸ケーブル、無線等により通信を行うためのインタフェースである。
【００３１】
（ｘＧＳＮの構成）
図１に戻り、ｘＧＳＮ１３１ａは、ＳＧＳＮ（Serving General packet radio service Support Node）とＧＧＳＮ（Gateway General packet radio service Support Node）の統合ノードであり、パケット交換処理を実行する。具体的には、例えば、携帯端末Ａ１１０がウェッブサイトの閲覧や電子メールの送受信等のデータ通信を行うと、ｘＧＳＮ１３１ａでは、携帯端末Ａ１１０から送信されるＩＰパケットに対して、ＩＰ（Internet Protocol）パケットを別のＩＰパケットで包む、いわゆるカプセリング等の処理を実行する。
【００３２】
（Ｐ−ＣＳＣＦの構成）
Ｐ−ＣＳＣＦ１３２ａ及び１３２ｂは、それぞれ、携帯端末Ａ１１０、携帯端末Ｂ１８０の登録時に割り当てられる。また、携帯端末Ａ１１０や携帯端末Ｂ１８０を認証後、暗号化してパケットのやり取りをするための通信路を確立したり、ＳＩＰ（Session Initiation Protocol）メッセージを効率良く転送するために圧縮する等の機能を有する。
【００３３】
（Ｓ−ＣＳＣＦの構成）
Ｓ−ＣＳＣＦ１３３ａ及び１３３ｂは、ユーザ情報を保持しているＨＳＳ（Home Subscriber Server）（図示しない）から携帯端末Ａ１１０や携帯端末Ｂ１９０のユーザ情報を取得して保持したり、セッション制御等を行う機能を有するＳＩＰサーバである。具体的には、ユーザのログインしている携帯端末のＩＰアドレスとパブリックユーザＩＤとの紐付けを行う。
【００３４】
（アプリケーションサーバの構成）
アプリケーションサーバ１４０ａ及び１４０ｂは、ＩＰネットワークにおけるサービス制御機能や課金制御機能を有するアプリケーションサーバである。また、図１に示すように、アプリケーションサーバ１４０ａにおいては、一般的なアプリケーションサーバの構成以外に、位置情報要求部１４１と、位置情報通知部１４２と、を有する。各部の動作については、後述する。
【００３５】
（アプリケーションサーバの具体的な構成）
ここで、アプリケーションサーバ１４０ａのより具体的な構成について説明する。図３は、アプリケーションサーバ１４０ａの構成例を示すブロック図である。図３に示すように、アプリケーションサーバ１４０ａは、ＣＰＵ３０１、不揮発性記憶装置３０２、ＲＡＭ３０３、ネットワークインタフェース３０４、等を備えている。
不揮発性記憶装置３０２には、位置情報通知プログラム３１０が保持されている。この位置情報通知プログラム３１０は、位置情報要求モジュール３１１、位置情報通知モジュール３１２、及びその他必要な各種のモジュールを含む。位置情報要求モジュール３１１、位置情報通知モジュール３１２は、それぞれ、位置情報要求部１４１、位置情報通知部１４２を実現するためのモジュールである。
【００３６】
このような構成において、一般的なコンピュータと同様に、不揮発性記憶装置３０２に記憶されている各モジュール３１１、３１２が必要に応じてＲＡＭ３０３をワークエリアとして展開され、それらがＣＰＵ３０１にて実行されることで、各種の処理を行う。
なお、ネットワークインタフェース３０４は、Ｐ−ＣＳＣＦ１３２ａ、Ｓ−ＣＳＣＦ１３３ａ、ＨＬＲ１５０、ＳＭ作成装置１６０、ＳＭＳＣ１７０等と接続するためのインタフェースであり、有線又は無線の通信インタフェースである。具体的には、光ファイバ、同軸ケーブル、無線等により通信を行うためのインタフェースである。
【００３７】
（ＨＬＲの構成）
図１に戻り、ＨＬＲ１５０は、複数の携帯端末の位置登録情報を記憶している装置であり、各携帯端末についてのプロファイル１５１を記憶している。プロファイルとは、各携帯端末のユーザＩＤと、位置登録情報及び各携帯端末が契約している提供サービス等を関連づけている情報である。また、いわゆる携帯電話機の位置登録が行われると、位置登録情報がＨＬＲ１５０に随時、登録される。この位置登録情報は、一般的には、無線基地局からの電波が受信可能な領域であるセル領域を複数まとめた領域をその単位としている。
【００３８】
ここで、セル領域とは、無線基地局からの電波が受信可能な領域である。また、無線基地局は、携帯電話機等の無線端末が通話やメールの送受信等の無線通信を行う際に最初に接続する局である。また、セクタ領域とは、セル領域が指向性アンテナの電波送信方向に応じて複数に分割された領域であり、各セクタ領域は、無線基地局の指向性アンテナによって管理される。本実施形態においては、後述するように、携帯端末Ａ１１０の位置情報としてセクタ領域に関する情報であるセクタ情報を利用するため、従来のように位置情報としてセル情報等を利用するよりも、より詳しく携帯端末Ａ１１０の位置を把握することができる。
【００３９】
（ＳＭ作成装置の構成）
ＳＭ作成装置１６０は、ショートメッセージサービス（ＳＭＳ：Short Message Service）においてショートメッセージ（ＳＭ）を作成する装置である。ＳＭＳとは、携帯電話機やＰＨＳ同士の間において短いメッセージのやり取りを行うことのできるサービスである。
（ＳＭＳＣの構成）
ＳＭＳＣ１７０は、ＩＭＳアーキテクチャにおいてメディアサービスを提供する機能を有するメディアサーバである。本実施の形態においては、ショートメッセージサービス（ＳＭＳ）を提供し、アプリケーションサーバ１４０ａからの指示により携帯端末Ｂ１８０に対してショートメッセージを送信する機能を有する。
【００４０】
（本システムの動作）
次に、図１及び図４を用いて、本実施形態に係る位置情報提供サービスの動作について説明する。図４は、本実施形態に係る位置情報提供サービスの処理の流れを示すシーケンス図である。図４において、「ＲＮＣ」とは無線ネットワーク制御装置１２０ａを意味し、「ＡＳ」とはアプリケーションサーバ１４０ａを意味する。なお、無線基地局１９０ａは、図４においては図示しない。
【００４１】
まず、携帯端末Ａ１１０にて電源がＯＦＦされると、デタッチ信号が無線基地局１９０ａを介して無線ネットワーク制御装置１２０ａに送信される（Ｓ４０１）。無線ネットワーク制御装置１２０ａでは、電源切断通知部１２１にてデタッチ信号が受信され、このデタッチ信号がｘＧＳＮ１３１ａに送信される（Ｓ４０２）。
デタッチ信号を受信したｘＧＳＮ１３１ａでは、デタッチフラグの設定が実行される（Ｓ４０３）。
その後、無線ネットワーク制御装置１２０ａから送信されたデタッチ信号に基づいて、携帯端末Ａ１１０の電源がＯＦＦされたことを示すデタッチ通知がｘＧＳＮ１３１ａから、Ｐ−ＣＳＣＦ１３２ａ、Ｓ−ＣＳＣＦ１３３ａを介してアプリケーションサーバ１４０ａに送信される（Ｓ４０４ａ、Ｓ４０４ｂ、Ｓ４０５）。
【００４２】
デタッチ通知を受信したアプリケーションサーバ１４０ａは、ＨＬＲ１５０に保持されている携帯端末Ａ１１０のプロファイルを参照し（Ｓ４０６）、携帯端末Ａ１１０が本実施形態に係る位置情報提供サービスの契約をしている端末であるか、さらに、契約をしている端末であれば、携帯端末Ａ１１０のセクタ情報の通知先を上記プロファイルから取得する（Ｓ４０７）。ここで、携帯端末Ａ１１０が本実施形態に係る位置情報提供サービスの契約をしていない端末である場合には、通常のデタッチ処理後、処理は終了となる（Ｓ４０８、Ｓ４０９）。すなわち、ＳＩＰに定義されている２００ＯＫ信号がアプリケーションサーバ１４０ａから、Ｓ−ＣＳＣＦ１３３ａを介してＰ−ＣＳＣＦ１３２ａへ送信され、処理は終了となる。
【００４３】
一方、携帯端末Ａ１１０が本実施形態に係る位置情報提供サービスの契約をしている端末である場合には、アプリケーションサーバ１４０ａは、位置情報要求部１４１にて、Ｐ−ＣＳＣＦ１３２ａを介して、無線ネットワーク制御装置１２０ａに携帯端末Ａ１１０のセクタ情報を要求する（Ｓ４１０、Ｓ４１１）。
無線ネットワーク制御装置１２０ａは、位置情報要求受付部１２２にて、アプリケーションサーバ１４０ａからの携帯端末Ａ１１０のセクタ情報の要求を受け付けると、自身が保持する複数の携帯端末に関するセクタ情報の中から携帯端末Ａ１１０のセクタ情報を抽出し、位置情報送信部１２３にて、Ｐ−ＣＳＣＦ１３２ａを介してアプリケーションサーバ１４０ａに送信する（Ｓ４１２、Ｓ４１３）。
【００４４】
アプリケーションサーバ１４０ａは、位置情報通知部１４２にて、無線ネットワーク制御装置１２０ａから、Ｐ−ＣＳＣＦ１３２ａを介して、携帯端末Ａ１１０のセクタ情報を受信すると、ステップＳ４０５にて取得した通知先へのショートメッセージをＳＭ作成装置１６０にて作成し（Ｓ４１４）、ＳＭＳＣ１７０にショートメッセージの送信依頼をする（Ｓ４１５）。
【００４５】
送信依頼を受けたＳＭＳＣ１７０は、ステップＳ４０７にて取得された通知先へ、ショートメッセージを送信する（Ｓ４１６）。なお、ここで送信されたショートメッセージは、アプリケーションサーバ１４０ｂ、Ｐ−ＣＳＣＦ１３２ｂ、Ｓ−ＣＳＣＦ１３３ｂ、無線ネットワーク制御装置１２０ｂ、無線基地局１９０ｂを介して、携帯端末Ｂ１８０に受信される（図１参照）。
【００４６】
なお、本実施の形態において、携帯端末Ａ１１０は、本発明における「移動通信端末」に対応する。また、無線ネットワーク制御装置１２０ａは、本発明における「無線制御装置」に対応する。また、アプリケーションサーバ１４０ａは、本発明における「サービス制御装置」に対応する。
また、本実施の形態において、位置情報要求受付部１２２及び位置情報送信部１２３は、本発明にける「位置情報送信手段」に対応する。
【００４７】
また、本実施の形態において、デタッチ信号は、本発明における「電源切断信号」に対応する。
また、本実施の形態において、図４中のステップＳ４０２は、本発明における「電源切断通知ステップ」に対応する。また、ステップＳ４１０は、本発明における「位置情報要求ステップ」に対応する。また、ステップＳ４１２は、本発明における「位置情報送信ステップ」に対応する。また、ステップＳ４１５は、本発明における「位置情報通知ステップ」に対応する。
【００４８】
（他の実施の形態）
また、上記の実施形態においては、電源切断信号がデタッチ信号である場合について説明したが、携帯端末の電源がＯＦＦされたことを示す信号であれば、他の信号であってもよい。
また、上記の実施形態においては、セクタ情報の通知をショートメッセージにより行ったが、電子メール、音声通話、等により通知してもよい。
また、上記の実施形態においては、携帯端末Ａ１１０のセクタ情報の通知先についてＨＬＲに保存のプロファイルを参照したが、例えば、ＨＬＲ以外の記憶装置等にセクタ情報の通知先をあらかじめ登録するようになっており、この記憶装置等を参照するようになっていてもよい。
【００４９】
また、上記の実施形態においては、携帯端末Ａ１１０のセクタ情報の通知先は携帯端末Ｂ１８０としたが、パーソナルコンピュータ等の他の装置であってもよい。
また、上記の実施形態においては、携帯端末Ａ１１０は子供が携行する携帯電話機等である場合を想定して説明したが、携帯端末Ａ１１０を携行する人物が何者であるかを問わない。また、携帯端末Ａ１１０は携帯電話機に限らず、携帯電話機と同様の機能を有するノート型パソコンやスマートフォンであってもよい。
【００５０】
（まとめ）
以上説明したように、本発明によれば、携帯端末がＧＰＳ機能を有していない場合やＧＰＳ電波の届く場所に位置していない場合であっても位置情報サービスを受けることができる。また、携帯端末において電源がＯＦＦされた場合には、電源切断信号を受信した無線制御装置がセクタ情報を位置情報として登録済みの通知先等に通知するため、従来における位置情報サービスよりも、最新、かつ、より詳細な位置情報を提供することができる。
【符号の説明】
【００５１】
１１０  携帯端末Ａ
１２０ａ、１２０ｂ  無線ネットワーク制御装置
１２１  電源切断通知部
１２２  位置情報要求受付部
１２３  位置情報送信部
１３１ａ  ｘＧＳＮ
１３２ａ、１３２ｂ  Ｐ−ＣＳＣＦ
１３３ａ、１３３ｂ  Ｓ−ＣＳＣＦ
１４０ａ、１４０ｂ  アプリケーションサーバ
１４１  位置情報要求部
１４２  位置情報通知部
１５０  ＨＬＲ
１５１  プロファイル
１６０  ＳＭ作成装置
１７０  ＳＭＳＣ
１８０  携帯端末Ｂ
１９０ａ、１９０ｂ  無線基地局
２０１  ＣＰＵ
２０２  不揮発性記憶装置
２０３  ＲＡＭ
２０４  ネットワークインタフェース
２１０  位置情報送信プログラム
２１１  電源切断通知モジュール
２１２  位置情報要求受付モジュール
２１３  位置情報送信モジュール
３０１  ＣＰＵ
３０２  不揮発性記憶装置
３０３  ＲＡＭ
３０４  ネットワークインタフェース
３１０  位置情報通知プログラム
３１１  位置情報要求モジュール
３１２  位置情報通知モジュール
【図１】
2010233090.tif 000003
【図２】
2010233090.tif 000004
【図３】
2010233090.tif 000005
【図４】
2010233090.tif 000006